(57)【要約】  本発明は、長靴などの履物に設置されて履物内/外部の空気が循環されるようにする通風器具に関し、より詳しくは、その通風器具が水に浸った時のみに防水が行われる自動防水機能を有する通風器具に関するもので、履物の一側に上側を向けて設置された通風手段と、その通風手段の上端に設置され、履物内/外部の空気が通風手段の表面に沿って流動するように誘導する通風誘導手段と、その通風手段と通風誘導手段との間に上下方向に自由に移動可能な浮力手段と、で構成されたことを特徴とする。このように構成された本発明によると、通風手段が水に浸っていない状態では、浮力手段が通風誘導手段の誘導本体に形成された風誘導穴から離れることで、履物外部の水が履物内部に流入されることができない環境では履物内/外部の循環通風が自由に行われる効果がある。
2015530183.tif 000002
【特許請求の範囲】
【請求項１】
履物に設置される通風器具であって、
履物の一側に上側を向けて設置された通風手段（１００）と、
前記通風手段（１００）の上端に設置され、履物の内部及び外部の空気が通風手段（１００）の表面に沿って流動するように誘導する通風誘導手段（２００）と、
前記通風手段（１００）と前記通風誘導手段（２００）との間に上下方向に自由に移動可能な浮力手段（３００）と、を具備し、
浮力により空気の流動が遮られることを特徴とする自動防水機能を有する通風器具。
【請求項２】
前記通風手段（１００）の一先端には、履物の内側面と接する安着部（１１０）がさらに形成され、他端側には、前記安着部（１１０）と対応して履物の外側面を圧搾する圧搾部（１２０）がさらに設置されて構成されたことを特徴とする請求項１に記載の自動防水機能を有する通風器具。
【請求項３】
前記通風手段（１００）の内部に防湿材１４０が具備されたことを特徴とする請求項２に記載の自動防水機能を有する通風器具。
【請求項４】
前記通風誘導手段（２００）は、前記浮力手段（３００）が移動される位置と対応する位置に一つ以上の通風誘導穴（２１１）が形成された誘導本体（２１０）と、前記誘導本体（２１０）の上部に設置されたキャップ（２２０）と、で構成されたことを特徴とする請求項１に記載の自動防水機能を有する通風器具。
【請求項５】
前記キャップ（２２０）は、弾性材質で形成されたことを特徴とする請求項４に記載の自動防水機能を有する通風器具。
【請求項６】
前記浮力手段（３００）の内側面の高さは、前記通風手段（１１０）と前記通風誘導手段（２００）との隙間の大きさより大きいことを特徴とする請求項１に記載の自動防水機能を有する通風器具。
【発明の詳細な説明】
【技術分野】
【０００１】
本発明は、長靴などの履物に設置されて履物内/外部の空気が循環されるようにする通風器具に関し、より詳しくは、その通風器具が水に浸った時のみに防水が行われる自動防水機能を有する通風器具に関する。
【背景技術】
【０００２】
従来の大韓民国公開実用新案第１９９９−００３５１７８号(１９９９.０９.０６.「履物用通気具」)は、図１に示したように、大きくゴムバルブ１０とケース２０、キャップ３０及び固定具４０で構成されたもので、管形状の固定具４０が履物の面部材を貫通して設置され、その固定具４０に穴２２が形成されたケース２０が設置され、そのケース２０の上部にまた他の穴１２が形成されたゴムバルブ１０が具備され、そのゴムバルブ１０の上部に固定具４０の上部を覆うまた他の穴３２が形成されたキャップが設置され結合完成された履物用通気口が開示されている。
【０００３】
このような履物用通気口は、ゴムバルブ１０の弾性力によりケース２０の穴２２が塞いで防水機能が実行され、履物内部の空気が外部に排出される時のその圧力によりゴムバルブ１０が押されてケース２０の穴２２が開放されて通風が行われるように構成される。
【先行技術文献】
【特許文献】
【０００４】
【特許文献１】大韓民国公開実用新案第１９９９−００３５１７８号
【発明の概要】
【発明が解決しようとする課題】
【０００５】
従来の履物用通気口は、前記ゴムバルブ１０が履物内部の空気が外部に排出される時のみに開放されるように構成されることで、その履物用通気口が水に浸っているかとは関係なく常にケース２０の穴２２がゴムバルブ１０により塞がっているので、常に外部の空気が吸入されることができなくて、履物外部の空気が履物内部に流入されて履物内部の空気が外部に排出される循環が行われない問題点がある。
【０００６】
したがって、本発明者は、履物外部の空気が履物内部に流入されて履物内部の空気が外部に排出される循環が常に行われるが、その履物用通気口が水に浸っている時のみに外部の空気が流入される空間が密閉されて水が履物内部に流入されない自動防水機能を有する通風器具を完成することを課題とする。
【課題を解決するための手段】
【０００７】
本発明は、履物の一側に上側を向けて設置された通風手段と、その通風手段の上端に設置され、履物の内/外部の空気が通風手段の表面に沿って流動するように誘導する通風誘導手段と、その通風手段と通風誘導手段との間に上下方向に自由に移動可能な浮力手段と、が具備されたことを特徴とする。
【０００８】
また、通風手段には、安着部と圧搾部及び防湿剤がさらに具備されることを特徴とする。
【０００９】
また、前記通風誘導手段は、通風誘導穴が形成された誘導本体とキャップで構成し、そのキャップは、弾性材質で形成することを特徴とする。
【００１０】
また、前記浮力手段の一側面の高さは、隙間（ギャップ）の大きさより大きいことを特徴とする。
【発明の効果】
【００１１】
このように構成された本発明によると、通風手段が水に浸っていない状態では、浮力手段が通風誘導手段の誘導本体に形成された通風誘導穴から離れることで、履物外部の水が履物内部に流入されることができない環境では履物内/外部の循環通風が自由に行われる効果がある。
【００１２】
また、通風手段に水が流入されることができる状態では、浮力手段が浮力により通風誘導手段の誘導本体に移動されてその誘導本体に形成された通風誘導穴を塞ぐことにより、履物外部の水が履物内部に流入される環境を浮力により自動で感知して防水機能を実行する自動防水の効果がある。
【図面の簡単な説明】
【００１３】
【図１】図１は、従来の履物用通風器具を示した図である。
【図２】図２は、本発明の実施状態を示した縦断面図である。
【図３】図３は、本発明の分解図である。
【図４】図４は、本発明による循環状態を示した切開図である。
【図５】図５は、図４での空気の移動状態を示した縦断面図である。
【図６】図６は、防水状態を示した縦断面図である。
【図７】図７は、本発明のロック状態を示した切開図である。
【図８】図８は、本発明によるキャップの作用関係を示した図である。
【発明を実施するための形態】
【００１４】
本発明は、通風器具が水に浸った時のみに防水が行われる自動防水機能を有する通風器具に関するもので、大きく通風手段１００と通風誘導手段２００及び浮力手段３００で構成される。
【００１５】
図１は、従来の履物用通風器具を示した図であり、図２は、本発明の実施状態を示した縦断面図であり、図３は、本発明の分解図であり、図４は、本発明による循環状態を示した切開図であり、図５は、図４での空気の移動状態を示した縦断面図であり、図６は、防水状態を示した縦断面図であり、図７は、本発明のロック状態を示した切開図であり、図８は、本発明によるキャップの作用関係を示した図である。
【００１６】
以下、添付図面を参照して本発明を詳しく説明する。
【００１７】
前記通風手段１００は、空気が移動するように管形状で形成され、履物の上側面部材を貫通し、上側を向けて設置されて履物内/外部の空気が移動されるように構成されている。
【００１８】
また、前記通風手段１００の一先端には、履物の上側面部材の下部面と密着される安着部１１０がさらに形成されて一層安定的に履物に固定されるように構成される。
【００１９】
また、通風手段１００には、前記安着部１１０と対応するリング形状の圧搾部１２０がさらに設置される。圧搾部１２０は、面部材に突出された通風手段１００に嵌設されて履物の面部材を圧搾して前記安着部１１０とともに面部材と通風手段との間の微細な隙間を完璧に密閉するように構成される。
【００２０】
一方、通風手段１００の表面には、ネジ山が形成される。これは、以下説明する通風誘導手段２００によるロック機能を実行するために採用したものである。
【００２１】
また、安着部１１０が形成された通風手段１００の内側には、網体１３０がさらに設置され、その網体１３０の上部に通風手段１００の直径より小さい直径の防湿材１４０がさらに具備されることで、外部の空気が内部に移動される時に含まれることができる水分を吸収して履物内部が濡れることを防止するように構成される。
【００２２】
前記防湿材１４０の代わり芳香材を試用して履物の悪臭を改善することもできる。
【００２３】
前記通風誘導手段２００は、一つ以上の通風誘導穴２１１が形成されたリング形状の誘導本体２１０と、その誘導本体２１０の上部に別途の空間が形成されるように半球形状のキャップ２２０と、が設置される。
【００２４】
また、前記通風誘導穴２１１は、以下説明する浮力手段３００が浮力により上部に移動される位置と対応する位置に形成される。
【００２５】
このように構成された通風誘導手段２００は、前記通風手段１００の上端部表面に嵌め込まれて密着固定され、上部方向に設置された通風手段１００に空気が流入される前に外部の空気が誘導本体２１０の通風誘導穴２１１を通じて下部から上部に移動されるか、その通風手段１００に空気が排出される時には、履物内部の空気がその通風手段１００を通過した後に誘導本体２１０の通風誘導穴２１１を通じて上部から下部に移動するように構成されたことで、通風手段１００の表面に沿って空気の移動が行われるように構成した。
【００２６】
一方、前記キャップ２２０は、弾性材質で構成し、使用者が押した時にそのキャップ２２０と誘導本体２１０との間の空間に存在する空気が通風手段１００及び通風誘導穴２１１に移動するようにすることで、通風誘導穴２１１または通風手段１００に挟まることができる異物を、空気圧を通じて排出させることができる。
【００２７】
また、前記誘導本体２１０の内側面には、ネジ溝が形成され、前記通風手段１００と螺合するように構成される。
【００２８】
このように構成された誘導本体２１０を下部に移動させて以下説明する浮力手段３００を圧迫することで、通風誘導穴２１１がその浮力手段３００により常に塞がっている状態が維持されて常に水中に浸るようになっても防水が行われる。
【００２９】
また、前記浮力手段３００は、リング形状のチューブで構成され、前記通風手段１００の表面に挿入され、その通風手段１００に沿って自由に上下方向に移動可能に設置される。通風手段１００が水に浸る状況では、浮力により上部に移動して前記通風誘導手段２００の通風誘導穴２１１を塞いで、通風手段１００が水に浸らない状況では、重力により下部に移動して前記通風手段１００の通風誘導穴２１１が開放されるように構成される。
【００３０】
このように構成された浮力手段３００は、本発明が水中に浸っている状況を、浮力を通じて自動で感知すると同時に水が流入されることができる空間を自動で塞ぐ自動防水機能が具現される。
【００３１】
すなわち、浮力により空気の流動が遮断されて防水機能が行われる。
【００３２】
一方、図８のように、前記浮力手段３００の内側面の高さは、通風手段１００と通風誘導手段２００が螺合される構成で、浮力手段３００で通風誘導手段２００が通風手段１００の最上端に位置する場合、その通風手段１００と通風誘導手段２００との間の隙間(浮力手段の内側面と対応する通風手段と通風誘導手段の間)より長く形成されて、その隙間に浮力手段３００が挟まないように構成される。
【００３３】
以上のように構成された本発明は、通風手段１００が履物の上部面部材を貫通して設置され、その通風手段１００の上部表面に浮力手段３００が自由に移動されるように位置し、その通風手段１００の上部に通風誘導手段２００が設置されて完成される。
【００３４】
前記通風手段１００に安着部１１０がさらに形成され、圧搾部１２０がさらに設置される場合には、安着部１１０の上部面と圧搾部１２０の下部面が履物の面部材を圧搾して、外部の水が通風手段１００と面部材との間の微細なに流入さないようになる。
【００３５】
このように完成された本発明は、履物が水中に浸らない場合には、浮力手段３００が通風手段１００の下部に移動された状態で維持されて通風誘導手段２００の誘導本体２１０に形成された通風誘導穴２１１が常に開放された状態で維持される。
【００３６】
このように通風誘導穴２１１が開放された状態では、履物外部の空気が履物内部に自由に移動され、履物内部の空気が履物外部に自由に移動される循環通風が行われる。
【００３７】
特に、歩行者の不注意などで通風手段１００が水溜りにはまった場合には、浮力手段３００が浮力により通風誘導手段２００の誘導本体２１０に移動されて通風誘導穴２１１を塞ぐことで、水が履物内部に流入されることを塞ぐ防水機能が行われる。
【００３８】
すなわち、浮力手段３００の浮力により通風手段１００が水に浸る場合に、その浮力を通じて履物内部に水が流入されることができる状況である時、自動で防水機能が行われるように構成された自動防水機能を具備している。
【００３９】
また、通風手段１００と通風誘導手段２００が螺合された構成で、その通風誘導手段２００を回転させて誘導本体２１０が浮力手段３００を圧迫するようにする場合、誘導本体２１０の通風誘導穴２１１が浮力手段３００により常に塞がるロック状態が行われる。
【００４０】
これによって、履物内部の空気が外部に排出される時の圧力が浮力より大きい場合に、水が流入される状況を防止することができる。
【００４１】
また、通風手段１００の内部に具備された防湿材１４０により前記水が流入される場合、２次的に防湿材１４０がその水を吸収して履物内部に水が流入されることを抑制することができる。
【図１】
2015530183.tif 000003
【図２】
2015530183.tif 000004
【図３】
2015530183.tif 000005
【図４】
2015530183.tif 000006
【図５】
2015530183.tif 000007
【図６】
2015530183.tif 000008
【図７】
2015530183.tif 000009
【図８】
2015530183.tif 000010
【国際調査報告】
2015530183.tif 000011
2015530183.tif 000012
2015530183.tif 000013
2015530183.tif 000014